(57)【要約】【課題】意匠を容易に変更できる上に、装着時の安定性にも優れるアクセサリを提供する。【解決手段】アクセサリ１Ａは、装着対象に装着される本体部１０Ａと、本体部１０Ａに着脱自在であり、本体部１０Ａに結びつけられて、本体部１０Ａの表面（意匠面１０ｆ）側で意匠を形成するリボン部２とを備える。本体部１０Ａは、リボン部２の中間部を装着対象側に突出しないように収納する凹部１１を有する。アクセサリ１Ａは、使用者の好みのリボン部２を本体部１０Ａに結びつけることで意匠を容易に変更できる。リボン部２の中間部を本体部１０Ａの凹部１１に収納可能であり、使用者や鞄などの装着対象側にリボン部２が突出しない。そのため、装着対象と本体部１０Ａとが安定した接触状態を保持し易く、アクセサリ１Ａは、装着時の安定性にも優れる。【選択図】図１
2018183296.tif 000002
【特許請求の範囲】
【請求項１】
装着対象に装着される本体部と、
前記本体部に着脱自在であり、前記本体部に結びつけられて、前記本体部の表面側で意匠を形成するリボン部とを備え、
前記本体部は、前記リボン部の中間部を前記装着対象側に突出しないように収納する凹部を有するアクセサリ。
【請求項２】
前記リボン部の厚さが２ｍｍ以上、及び幅が５ｍｍ以上の少なくとも一方を満たす請求項１に記載のアクセサリ。
【請求項３】
前記リボン部の意匠面は、凹凸を有する請求項１又は請求項２に記載のアクセサリ。
【請求項４】
前記リボン部の意匠面に、複数のラインストーンを備える請求項３に記載のアクセサリ。
【請求項５】
前記アクセサリは、髪飾り、鞄飾り、靴飾り、又はキーホルダーである請求項１から請求項４のいずれか１項に記載のアクセサリ。
【発明の詳細な説明】
【技術分野】
【０００１】
本発明は、意匠を変更可能なアクセサリに関する。
【背景技術】
【０００２】
髪飾りなどのアクセサリは、使用者が装着する本体部のみ、又は本体部と、本体部に着脱不可能に固定された装飾部とを備えるものが代表的である。
【０００３】
特許文献１は、雌型スナップボタンを備える本体と、雄型スナップボタンを備える装飾片とを備えるアクセサリを開示する。スナップボタンによって装飾片を本体に着脱でき、本体のみでの使用や、装飾片の取り替えを可能とする。
【先行技術文献】
【特許文献】
【０００４】
【特許文献１】特開２００６−２２３８０５号公報
【発明の概要】
【発明が解決しようとする課題】
【０００５】
特許文献１に記載のアクセサリでは、装飾片を取り替え可能であるものの、本体と装飾片との双方にスナップボタンが必要である。そのため、使用者がその日の気分などに応じて、意匠をより簡単に変更できるアクセサリが望まれる。
【０００６】
例えば、装飾片をリボンとすれば、本体に結び付けることで意匠を容易に変更できる。特に、肉厚のリボンや広幅のリボンなどとすれば、結び目などによって立体的な意匠を形成でき、意匠性に優れる。
【０００７】
しかし、リボンを本体に直接結び付けると、本体の表面（意匠面）側だけでなく、使用者などに接する本体の裏面側にもリボンの一部が配置される。使用者などと本体との間にリボンが介在することで、使用者などと本体とが直接接触する領域が低減され、使用者などに対するアクセサリの装着状態が不安定になり易い。特に肉厚のリボンであったり、広幅のリボンであったりすれば、リボンにおける本体の裏面からの突出量が多くなったり、本体の裏面におけるリボンに覆われる領域が相対的に多くなり、リボンに覆われずに使用者に面する領域が相対的に少なくなったりする。そのため、アクセサリの装着状態がより不安定になり易い。従って、装着時の安定性にも優れるアクセサリが望まれる。
【０００８】
本発明は、上述の事情を鑑みてなされたものであり、その目的の一つは、意匠を容易に変更できる上に、装着時の安定性にも優れるアクセサリを提供することにある。
【課題を解決するための手段】
【０００９】
（１）本発明の一態様に係るアクセサリは、
装着対象に装着される本体部と、
前記本体部に着脱自在であり、前記本体部に結びつけられて、前記本体部の表面側で意匠を形成するリボン部とを備え、
前記本体部は、前記リボン部の中間部を前記装着対象側に突出しないように収納する凹部を有する。
ここでの「凹部」とは、貫通孔、又は装着対象側に開口する溝が挙げられる。
【００１０】
上記（１）のアクセサリは、リボン部を本体部に結び付けることで意匠を容易に変更できる。また、このアクセサリは、リボン部の結び方によっても意匠を変更できる上に、使用者の好みに応じた種々の材質、大きさ（厚さ、幅など）、形状のリボン部を利用でき、意匠性にも優れる。
【００１１】
かつ、上記（１）のアクセサリは、リボン部の中間部を凹部に収納するため、使用者や鞄、靴などの装着対象側にリボン部が突出することがない。従って、このアクセサリは、上記装着対象と本体部とが安定した接触状態を保持し易く、装着時の安定性に優れる。例えばこのアクセサリが髪飾りなどの頭飾品である場合には、本体部が使用者の頭部からずれ難く、装着感がよい。又は、例えばこのアクセサリが鞄飾りである場合には、本体部の裏面が鞄に安定に接触できるため、このアクセサリによって鞄を傷付け難い。
【００１２】
更に、上記（１）のアクセサリは、リボン部の中間部が凹部に収納されることでリボン部を本体部に対して位置決めできるため、リボン部を本体部に結びつけ易い上に、結びつけたリボン部による意匠を本体部の所定の位置に保持できる。
【００１３】
（２）  上記（１）のアクセサリの一例として、前記リボン部の厚さが２ｍｍ以上、及び幅が５ｍｍ以上の少なくとも一方を満たす形態が挙げられる。
【００１４】
上記（２）のアクセサリは、リボン部が肉厚であったり、広幅であったりしても、上述のようにリボン部の中間部を凹部に収納するため、装着時の安定性に優れる。また、肉厚なリボン部や広幅のリボン部では、立体的な意匠などを形成し易く、意匠性により優れる。
【００１５】
（３）  上記（１）又は（２）のアクセサリの一例として、前記リボン部の意匠面は、凹凸を有する形態が挙げられる。
【００１６】
意匠面に凹凸を有するリボン部として、例えばリボン本体にラインストーンが接着されたもの、ラインストーンリボン（格子網目状の基部と、基部の交差部分に接着されたラインストーンとを備えるもの）やハードチュール、レースのような網目状のリボン、リボン本体に刺繍が施されたものなどが挙げられる。リボン部自体がこのような立体的な意匠面を備える上記（３）のアクセサリは、意匠性により優れる上に、上述のように凹部にリボン部の中間部を収納するため、このような凹凸を有するリボン部を備えていても、装着時の安定性に優れる。
【００１７】
（４）  上記（１）から（３）のいずれか一つのアクセサリの一例として、前記リボン部の意匠面に、複数のラインストーンを備える形態が挙げられる。
【００１８】
上記（４）のアクセサリは、ラインストーンを備えるため意匠性に優れる上に、上述のようにラインストーンによる凹凸が有っても、装着時の安定性に優れる。特にこのアクセサリが髪飾りである場合には、リボン部の中間部が凹部に収納されることで、使用者が髪飾りを取り外す際などに、並列される複数のラインストーンの間に使用者の髪の毛が絡むことも防止できる。又は、このアクセサリが鞄飾りやキーホルダーなどであれば、上述のように装着時の安定性に優れるため、装着対象である鞄などをラインストーンによって傷付け難い。
【００１９】
（５）  上記（１）から（４）のいずれか一つのアクセサリの一例として、前記アクセサリは、髪飾り、鞄飾り、靴飾り、又はキーホルダーである形態が挙げられる。
【００２０】
本発明のアクセサリは、上記に列挙するように髪飾りなどの装身具以外にも適用可能な構成であり、汎用性が高い。本発明のアクセサリが特に髪飾りである場合、凹部を貫通孔とすると、使用者の髪の毛が凹部に嵌り込んだり、リボン部に絡んだりすることを防止できて好ましい。
【発明の効果】
【００２１】
上述のように本発明のアクセサリによれば、意匠を容易に変更できる上に、装着時の安定性にも優れる。
【図面の簡単な説明】
【００２２】
【図１】実施形態のアクセサリの一例（髪飾りであるカチューシャ）について、本体部にリボン部を取り付ける工程を説明する工程説明図であり、（ａ）は取付前、（ｂ）は取付途中、（ｃ）は完成状態を示す。
【図２】実施形態のアクセサリの別例（鞄飾り）について、本体部にリボン部を取り付ける工程を説明する工程説明図であり、（ａ）は取付前、（ｂ）は図２（ａ）に示す本体部を（ｂ）−（ｂ）切断線で切断した部分断面図、（ｃ）は完成状態を示す。
【図３】実施形態のアクセサリの適用例を示す説明図であり、（ａ）は髪飾りの一例（バレッタ）、（ｂ）は髪飾りの別例（バナナクリップ）、（ｃ）は靴飾りの一例、（ｄ）はキーホルダーの一例を示す。
【図４】実施形態のアクセサリにおいて、本体部の凹部近傍を示す部分断面図であり、（ａ）は凹部が装着対象側に開口する溝である場合、（ｂ）は本体部が一体成形物であり、凹部が貫通孔である場合を示す。
【発明を実施するための形態】
【００２３】
以下、図面を参照して、本発明のアクセサリを具体的に説明する。図面において、同一符号は同一名称物を示す。
【００２４】
［実施形態１］
以下、主に図１を参照して、実施形態１のアクセサリ１Ａを説明する。
（概要）
実施形態１のアクセサリ１Ａは、髪飾りの一つであるカチューシャである。アクセサリ１Ａは、装着対象である使用者の頭部に装着される本体部１０Ａと、本体部１０Ａに着脱自在であるリボン部２とを備える。リボン部２は、図１（ｃ）に示すように、本体部１０Ａに結びつけられて、本体部１０Ａの表面（意匠面１０ｆ）側で意匠を形成する。アクセサリ１Ａの使用者は、リボン部２を取り換えて本体部１０Ａに結びつけることで、アクセサリ１Ａを所望の意匠のカチューシャとすることができる。更に、本体部１０Ａは、図１（ａ）に示すように凹部１１を有する。凹部１１は、リボン部２の中間部を使用者の頭部側に突出しないように収納する。ここでの凹部１１は、図１（ａ）において紙面に直交方向に貫通する貫通孔である。以下、構成要素ごとに詳細に説明する。
【００２５】
（本体部）
この例の本体部１０Ａは、複数の部材が接合されてなる組物である。この構成により、貫通孔からなる凹部１１を容易に形成できる。詳しくは、本体部１０Ａは、使用者の頭部に直接装着されて、カチューシャの本体をなす台座１２と、所定の隙間ｇをあけて台座１２の表面に接合されて、カチューシャの意匠面１０ｆをなす二つの意匠部１３，１３と、離間される意匠部１３，１３を跨ぐように固定される付属片１４とを備える。台座１２の表面の一部と、各意匠部１３，１３における向かい合う端面と、付属片１４の裏面の一部とによって、図１（ａ）に示す長方形状の貫通孔を形成し、この貫通孔を凹部１１とする。貫通孔をなす台座１２の一部と付属片１４の一部とは、上記貫通孔に挿通配置されるリボン部２を挟む。
【００２６】
台座１２には、市販のカチューシャを利用できる。
【００２７】
各意匠部１３は、台座１２の幅に応じた帯材である。意匠部１３の一面は、アクセサリ１Ａの意匠面１０ｆをなすため、各意匠部１３をなす帯材について、所望の色、柄（模様）、材質などを選択するとよい。
【００２８】
意匠部１３の厚さは、凹部１１をなす貫通孔の厚さに相当するため、リボン部２の厚さｔに応じて調整するとよい。例えば、意匠部１３の厚さをリボン部２の厚さｔ以上であって若干大きめとすると、リボン部２を上記貫通孔に容易に挿通できる。一方、意匠部１３の厚さをリボン部２の厚さｔ未満であって若干小さめとすると、リボン部２を上記貫通孔に挿通し難いものの、上記貫通孔をなす台座１２の一部と付属片１４の一部とによってリボン部２の中間部を強固に挟むことができ、リボン部２が位置ずれし難い。
【００２９】
隣り合う意匠部１３，１３の隙間ｇの大きさは、凹部１１をなす貫通孔の幅に相当するため、リボン部２の幅ｗに応じて調整するとよい。例えば、隙間ｇの大きさをリボン部２の幅ｗ以上であって若干大きめとすると、リボン部２を上記貫通孔に容易に挿通できる。一方、隙間ｇの大きさをリボン部２の幅ｗ未満であって若干小さめとすると、リボン部２を上記貫通孔に挿通し難いものの、上述のようにリボン部２が位置ずれし難い。
【００３０】
なお、この例では、一つの凹部１１（貫通孔）に一つのリボン部２を挿通配置する場合を示すが、複数の細幅のリボン部２を一つの上記貫通孔に挿通配置することもできる。この場合、隙間ｇの大きさは、複数のリボン部２の合計幅に応じて調整するとよい。複数のリボン部２によって、多様な意匠を形成できる。
【００３１】
図１（ａ）では、付属片１４として、意匠部１３と同様な帯材とし、隣り合う意匠部１３，１３を跨いで意匠部１３，１３に固定されるものを例示する。台座１２の一部と付属片１４の一部とで貫通孔（凹部１１）を形成できれば、付属片１４は、種々の形状、大きさのものとすることができる。
【００３２】
付属片１４の表面側は、例えば大きなリボン部２を利用するなどしてリボン部２の下に隠す形態や、アクセサリ１Ａの意匠の一部をなす形態とすることができる。付属片１４が意匠をなす場合、付属片１４について、所望の色、柄（模様）、材質、形状、大きさなどを選択するとよい。例えば、付属片１４を台座１２及び意匠部１３よりも広幅の適宜な意匠を有するものとし、付属片１４が台座１２及び意匠部１３の両側から突出するように設けられることが挙げられる。この場合、付属片１４の裏面のうち、付属片１４の各端部側であって各意匠部１３，１３に重なる箇所において、台座１２の裏面を跨ぐように接合テープ（図示せず）を配置することで、付属片１４を台座１２及び意匠部１３に固定してもよい。接合テープは、片面に接着層を備えるものとし、付属片１４を固定可能な範囲で、細幅で薄いものとすれば、接合テープにおける台座１２の裏面１０ｂからの突出を実質的に無視でき、装着時の安定性に優れる。
【００３３】
この例では、意匠部１３の個数を二つ、付属片１４の個数を一つとするが、意匠部１３の個数を三つ以上、付属片１４の個数を二つ以上とし、複数の貫通孔（凹部１１）を有する本体部１０Ａとすることができる。隣り合う意匠部１３，１３を跨ぐように各付属片１４を固定することで、複数の貫通孔を容易に形成できる。複数の貫通孔を備える本体部１０Ａとすれば、使用者は、リボン部２自体の変更だけでなく、リボン部２の個数や配置位置をも変更できて、多様な意匠を形成できる。
【００３４】
（リボン部）
この例のリボン部２は、リボン本体２０と、リボン本体２０の一面に接合された複数のラインストーン２２とを備え、リボン部２の意匠面２ｆに凹凸を有する。ここでは、リボン部２の意匠面２ｆの全面に亘って、同じ大きさの複数のラインストーン２２が整列配置されたものを例示するが、ラインストーン２２の大きさ、配列状態などは適宜選択できる。図１、及び後述する図２，図３では、ラインストーン２２の一部のみを示し、残部は省略している。
【００３５】
リボン本体２０は、所望の色、材質、大きさ（厚さｔ、幅ｗ、長さ）のものを適宜選択できる。この例のリボン部２は、ラインストーン２２を有するため、その厚さｔが厚めであり、２ｍｍ以上である。また、この例のリボン部２は、その幅ｗが５ｍｍ以上である。このような肉厚で広幅なリボン部２は、図１（ｃ）に示すように結び目を立体的に保持し易く、意匠性に優れる。リボン部２の材質などにもよるが、本例のようにラインストーン２２を備える場合には、厚さｔが厚過ぎたり、幅ｗが広過ぎたりすると、リボン部２を結びつけ難くなったり、リボン部２の重量が大きくなり過ぎたりするため、厚さｔは５ｍｍ以下程度、幅ｗは３０ｍｍ以下程度が利用し易いと考えられる（この例では厚さｔは４ｍｍ以下、幅ｗは２５ｍｍ以下）。
【００３６】
（リボン部の付替え手順）
上述の構成を備えるアクセサリ１Ａは、以下のようにして意匠を変更する。
図１（ａ）に示すように、貫通孔からなる凹部１１を備える本体部１０Ａと、所望のリボン部２とを用意する。
次に、本体部１０Ａの上記貫通孔にリボン部２の一端部を挿通する。この例ではラインストーン２２を有する意匠面２ｆが外側を向くように挿通する。図１（ｂ）に示すようにリボン部２の中間部を上記挿通孔に収納し、図１（ｃ）に示すようにリボン部２を付属片１４に結びつける。この例では、ラインストーン２２が外側に向くように結び目をつくる。こうすることで、ラインストーン２２を有するリボン部２による意匠を備えるアクセサリ１Ａを形成できる。
取り付けたリボン部２を外し、別のリボン部２を用意して、同様に結びつけることで、別のリボン部２による意匠を備えるアクセサリ１Ａを形成できる。
このようにして、意匠を変更できる。
【００３７】
（効果）
実施形態１のアクセサリ１Ａは、上述のようにリボン部２を本体部１０Ａに結び付けることで意匠を容易に変更できる上に、種々のリボン部２を利用でき、意匠性にも優れる。この例では、意匠面２ｆにラインストーン２２を有するリボン部２を備えるため、リボン部２自体が凹凸を有する上に、肉厚で広幅なリボン部２によって立体的な結び目を形成できることからも意匠性に優れる。
【００３８】
かつ、実施形態１のアクセサリ１Ａは、リボン部２の中間部を凹部１１に収納するため、本例のように凹凸があり、肉厚で広幅なリボン部２であっても、リボン部２が本体部１０Ａ（この例では台座１２）の裏面１０ｂに突出しない。従って、アクセサリ１Ａは、本体部１０Ａが使用者の頭部からずれ難く、装着時の安定性に優れる。
【００３９】
更に、リボン部２の中間部が凹部１１に収納されるため、リボン部２を本体部１０Ａに位置決めできて、リボン部２を結びつけ易い上に、結びつけたリボン部２による意匠を本体部１０Ａの所定の位置（凹部１１の形成位置）に保持できる。
【００４０】
その上、この例では、リボン部２がラインストーン２２を有し、ラインストーン２２が使用者の頭部側に向くようにリボン部２が本体部１０Ａに取り付けられるものの、使用者の頭部と、リボン部２との間に台座１２が介在する。そのため、使用者がアクセサリ１Ａを取り外す際などに、並列するラインストーン２２，２２間に使用者の髪の毛が絡むことも防止できる。
【００４１】
［実施形態２］
以下、主に図２を参照して、実施形態２のアクセサリ１Ｂを説明する。
（概要）
実施形態２のアクセサリ１Ｂは、鞄飾り（バッグチャーム）である。アクセサリ１Ｂの基本的構成は、実施形態１と同様であり、装着対象である鞄に装着される本体部１０Ｂと、本体部１０Ｂに着脱自在であるリボン部２とを備える。リボン部２は、図２（ｃ）に示すように、本体部１０Ｂに結びつけられて、本体部１０Ｂの表面（意匠面１０ｆ）側で意匠を形成する。本体部１０Ｂは凹部１１を有し、凹部１１は、リボン部２の中間部を鞄側に突出しないように収納する。ここでの凹部１１は、貫通孔である。また、リボン部２は、その意匠面２ｆにラインストーン２２を備える。
【００４２】
実施形態２のアクセサリ１Ｂにおける実施形態１との相違点は、本体部１０Ｂの形状にある。以下、この相違点を詳細に説明し、実施形態１と同様の構成及び効果については、詳細な説明を省略する。
【００４３】
この例の本体部１０Ｂは、図２（ｂ）の断面図に示すように複数の部材が接合されてなる組物である。ここでは、同じ外形を有する三つの平板材であって、異なる形状及び個数の貫通孔を有する二つの平板材と、貫通孔が無い一つの平板材とを接合して、貫通孔からなる凹部１１を有する本体部１０Ｂを形成する。詳しくは、本体部１０Ｂは、鞄に直接装着される台座１２と、所定の位置に所定の形状に切り抜かれた一つの貫通孔１５ｈを有し、台座１２の表面に接合される介在部１５と、二つの貫通孔１３ｈ，１３ｈを有し（図２（ａ）も参照）、介在部１５の表面に接合される意匠部１３とを備える。意匠部１３の表面は、アクセサリ１Ｂの意匠面１０ｆをなす。介在部１５と意匠部１３とは、貫通孔１５ｈの内面と二つの貫通孔１３ｈ，１３ｈの内面とが連続するように接合される（図２（ｂ））。そのため、リボン部２の取付前、意匠面１０ｆ側からみると、貫通孔１３ｈ，１５ｈから台座１２の表面が見える（図２（ａ））。
【００４４】
この例の台座１２は、所望の外形を有し、適宜な大きさ、材質の平板材を利用できる。図２では、台座１２（本体部１０Ｂ）の外形を涙型とするが適宜変更できる。例えば、上記外形は、円形や楕円形などの曲線形状、三角形や四角形などの多角形状などが挙げられる。台座１２の裏面１０ｂは、鞄に直接接触するため、鞄を傷付け難い材質のものが好ましい。
【００４５】
この例の介在部１５は、上述のように台座１２の外形と同様な外形を有し、一つの貫通孔１５ｈを有する平板材を利用できる。介在部１５と台座１２とを接合すれば、貫通孔１５ｈの一方の開口部が台座１２によって塞がれ、図２（ｂ）に示すような断面長方形状の溝を形成できる。この溝をリボン部２の中間部の収納箇所とする。貫通孔１５ｈの形状、大きさは、リボン部２の中間部を収納可能な範囲で、リボン部２の厚さｔ、幅ｗに応じて調整するとよい。ここでは貫通孔１５ｈを円孔とする。
【００４６】
この例の意匠部１３は、上述のように台座１２の外形と同様な外形を有し、離間して設けられた複数の貫通孔１３ｈを有する平板材を利用できる。より具体的には、意匠部１３は、介在部１５に接合された状態において貫通孔１５ｈの開口縁を跨ぐように配置される渡り部１３０と、渡り部１３０の両側に設けられる二つの半円状の貫通孔１３ｈ，１３ｈとを備える。意匠部１３と上述の介在部１５とを接合すれば、介在部１５の貫通孔１５ｈにおける他方の開口部の一部は、渡り部１３０が架け渡されることで塞がれ、渡り部１３０の両側に図２（ｂ）に示すような断面長方形状の二つの貫通孔１３ｈ，１３ｈが設けられる。貫通孔１３ｈ，１３ｈの内面と貫通孔１５ｈの内面とが連続することで、意匠部１３の一方の貫通孔１３ｈから、介在部１５の貫通孔１５ｈ及び台座１２の表面の一部を経て、意匠部１３の他方の貫通孔１３ｈに連通する空間を形成し、この空間にリボン部２を挿通する。
【００４７】
上述の連通空間を有する本体部１０Ｂに対して、リボン部２を取り付けるには、図２（ｂ）の二点鎖線の矢印で示すように、意匠部１３の一方の貫通孔１３ｈから、他方の貫通孔１３ｈに向かってリボン部２を挿通するとよい。リボン部２の中間部は、上述の貫通孔１５ｈと台座１２とによる溝に収納され、渡り部１３０によって上記溝からの浮き上がりが防止される。挿通したリボン部２は、渡り部１３０に結びつける。この例ではラインストーン２２を有する意匠面２ｆが外側を向くように結び目をつくる。
【００４８】
その他、アクセサリ１Ｂは、本体部１０Ｂを鞄に取り付けるための金具６を備える。金具６は、カラナビなどの着脱可能な適宜な構成、材質のものが利用できる。
【００４９】
（効果）
実施形態２のアクセサリ１Ｂは、実施形態１と同様な効果（容易に意匠を変更できる、装着時の安定性に優れる、リボン部２を本体部１０Ｂに位置決めできる、意匠性に優れるなど）を奏する。特に、実施形態２のアクセサリ１Ｂは、本例のように凹凸があり、肉厚で広幅なリボン部２であっても、本体部１０Ｂ（この例では台座１２）の裏面１０ｂに突出しないため、装着時、鞄と本体部１０Ｂに挿通されたリボン部２とが実質的に接触せず、リボン部２によって鞄をキズつけ難い。
【００５０】
［その他の実施形態］
以下、主に図３を参照して、その他の実施形態のアクセサリ１Ｃ〜１Ｆを説明する。以下の実施形態の基本的構成及びその効果は、実施形態１，２と同様であるため、相違点を主に説明する。
【００５１】
図３（ａ）に示すアクセサリ１Ｃは、髪飾りの一つであるバレッタである。
アクセサリ１Ｃは、バレッタの金具本体３及び金具本体３に取り付けられる意匠部１３を含む本体部１０Ｃと、リボン部２とを備える。金具本体３は、髪の毛を挟む一対の挟み板３０，３１と、一方の挟み板３０の一端に他方の挟み板３１の一端を回転可能に軸支する軸支部３２と、一方の挟み板３０の他端に他方の挟み板３１の他端を係止する係止部３３と、挟み板３１側に髪の毛を押し付ける板ばね部３４とを備える。金具本体３は、市販のバレッタを利用できる。
【００５２】
アクセサリ１Ｃでは、金具本体３に備える挟み板３０と板ばね部３４とで囲まれてできる貫通孔を、リボン部２の中間部を収納する凹部１１として利用できる。更に、二点鎖線で示すように、意匠面１０ｆに開口する溝１１０を意匠部１３に備え、この溝をリボン部２の結び目を収納する収納箇所とすれば、結びつけ作業時にリボン部２を位置決めし易い上に、リボン部２の結び目も所定の位置に保持し易い。
【００５３】
図３（ｂ）に示すアクセサリ１Ｄは、髪飾りの一つであるバナナクリップである。
アクセサリ１Ｄは、バナナクリップのクリップ本体４を含む本体部１０Ｄと、リボン部２とを備える。クリップ本体４は、市販のバナナクリップを利用できる。この例の本体部１０Ｄは、クリップ本体４と、クリップ本体４の各表面に離間して接合される二つの介在部１５，１５と、隣り合う介在部１５，１５を跨ぐように接合される意匠部１３とを備える。クリップ本体４の各表面と、両介在部１５，１５と、意匠部１３とで貫通孔をつくり、この貫通孔を凹部１１とする。凹部１１の構成は、実施形態１を参照するとよい。
【００５４】
図３（ｃ）に示すアクセサリ１Ｅは、靴飾り（シュークリップ）である。
アクセサリ１Ｅは、シュークリップの金具本体５を含む本体部１０Ｅと、リボン部２とを備える。金具本体５は、平板状の取付部５０と、取付部５０に回転可能に軸支されて、取付部５０と共に靴の周縁部を挟む板ばね部５１とを備える。金具本体５は、市販のシュークリップ用の金具を利用できる。図３（ｃ）は、板ばね部５１を開いた状態を示す。
【００５５】
この例の本体部１０Ｅは、金具本体５と、帯材からなる台座１２と、台座１２の表面に離間して接合される二つの介在部１５，１５と、隣り合う介在部１５，１５を跨ぐように接合される意匠部１３と、台座１２の裏面に取付部５０を接合する帯状の固定部１６とを備える。台座１２の表面と、両介在部１５，１５と、意匠部１３とで貫通孔をつくり、この貫通孔を凹部１１とする。凹部１１の構成は、実施形態１を参照するとよい。
【００５６】
図３（ｄ）に示すアクセサリ１Ｆは、キーホルダーである。
アクセサリ１Ｆは、台座１２、介在部１５、意匠部１３を含む本体部１０Ｆと、リボン部２とを備える。本体部１０Ｆの構成は、実施形態２の本体部１０Ｂに類似しており、渡り部１３０の向きが異なるだけであるため、実施形態２を参照するとよい。その他、アクセサリ１Ｆは、各種のキーを保持するリング状の金具７を備える。
【００５７】
本発明のアクセサリは、上述の例示に限定されない。例えば、本発明のアクセサリは、その他の髪飾り（例、バンスクリップ（ジョークリップ、クロウクリップなどとも呼ばれる）、テールクリップ、ワニクリップ、ダッカールクリップなど、カチューム、ヘアカフスなど）、腕輪、指輪、ブローチ、携帯機器のストラップ、帽子飾りなどとすることができる。
【００５８】
その他、以下のいずれか一つの変更が可能である。
（１）意匠面に凹凸が有るリボン部として、ラインストーンリボンやハードチュール、レースのような網目状のリボン、刺繍（立体刺繍を含む）が施されたものなどとする。
（２）リボン部として、細長い長方形状（帯状）の他、端部を三角形状としたり、縁部を波型にしたりなど種々の形状とする。
（３）本体部１０に備える凹部１１を貫通孔ではなく、図４（ａ）に示すように本体部１０の裏面１０ｂに開口する溝とする。凹部１１が装着対象側である裏面１０ｂに開口する溝であっても、リボン部２の厚さに応じて溝深さを調整すれば、リボン部２の中間部を凹部１１に収納できる。また、この場合、意匠面２ｆに凹凸が少ないもの又は凹凸が無いリボン部２とすると、使用者や鞄などの装着対象をキズつけ難い。なお、この場合、本体部１０は意匠部１３でもある。
（４）図４（ｂ）に示すように本体部１０を一体成形体とし、貫通孔からなる凹部１１を備える。なお、この場合、本体部１０は意匠部１３でもある。
【符号の説明】
【００５９】
１Ａ〜１Ｆ  アクセサリ
１０，１０Ａ〜１０Ｆ  本体部、１０ｆ  意匠面、１０ｂ  裏面、１１  凹部、
１１０  溝、１２  台座、１３  意匠部、１３ｈ，１５ｈ  貫通孔、１３０  渡り部、
１４  付属片、１５  介在部、１６  固定部、
２  リボン部、２ｆ  意匠面、２０  リボン本体、２２  ラインストーン、
３  金具本体、３０，３１  挟み板、３２  軸支部、３３  係止部、３４  板ばね部、
４  クリップ本体、５  金具本体、５０  取付部、５１  板ばね部、６，７  金具、
ｇ  隙間
【図１】
2018183296.tif 000003
【図２】
2018183296.tif 000004
【図３】
2018183296.tif 000005
【図４】
2018183296.tif 000006